(57)【要約】【課題】マイク装置の小型化を図りつつ、記録される風雑音を低減して音質向上を実現する仕組みを提供する。【解決手段】マイク装置１は、マイクエレメント１１と、マイクエレメント１１を保持するマイクホルダ１０と、マイクエレメントの上方に配置され、所定の開口率を有するシート材料で形成された２つの第１，第２のシート風防部材１３，１４とを備える。マイクホルダ１０には、マイクエレメント１１を保持するマイク穴１０６が形成され、かつマイクエレメント１１の上方位置におけるマイク穴１０６の開口周囲に、内側リブ１０３がマイク穴１０６の全周を囲むように突設されるとともに、内側リブ１０３の外側に、内側リブ１０３に比べて突出量が大きい外側リブ１０４が内側リブ１０３の全周を囲むように突設される。第１のシート風防部材１３は、内側リブの先端に当接した状態で配置され、第２のシート風防部材１４は、外側リブ１０４の先端に当接した状態で配置される。【選択図】図１
2014082715.tif 000002
【特許請求の範囲】
【請求項１】
マイクエレメントと、
前記マイクエレメントを保持するマイクホルダと、
前記マイクエレメントよりも集音方向側に配置され、所定の開口率を有するシート材料で形成された第１及び第２のシート風防部材とを備え、
前記マイクホルダは、前記マイクエレメントを保持するマイク穴よりも集音方向側に、所定の間隔をもって前記第１及び第２のシート風防部材を保持することを特徴とするマイク装置。
【請求項２】
前記マイク穴の開口周囲に、内側リブが前記マイク穴の全周を囲むように集音方向側に突設されるとともに、前記内側リブの外側に、前記内側リブに比べて突出量が大きい外側リブが前記内側リブの全周を囲むように集音方向側に突設され、
前記第１のシート風防部材は、前記内側リブの先端に当接した状態で配置され、前記第２のシート風防部材は、前記外側リブの先端に当接した状態で配置されることを特徴とする請求項１に記載のマイク装置。
【請求項３】
前記外側リブの突出量と前記内側リブの突出量との差は、前記第１のシート風防部材の厚さよりも大きいことを特徴とする請求項２に記載のマイク装置。
【請求項４】
前記第１のシート風防部材は、前記内側リブの外壁全周を覆うように配置され、前記第２のシート風防部材は、前記外側リブの外壁全周を覆うように配置されることを特徴とする請求項２に記載のマイク装置。
【請求項５】
前記第１のシート風防部材は、前記マイクホルダの前記内側リブと前記外側リブとの間に形成された第１の貫通孔に挿入されて、前記マイクホルダの底面側で内側に折り曲げられる第１の脚部を有し、
前記第２のシート風防部材は、前記マイクホルダの前記外側リブの外側に形成された第２の貫通孔に挿入されて、前記第１の脚部に対して重ならない位置で前記マイクホルダの底面側で内側に折り曲げられる第２の脚部を有し、
前記マイクホルダの底面側には、前記第１の脚部及び前記第２の脚部の折り曲げ部分を押圧する導電性を有する導通部材を介して金属製の固定部材が配置され、
前記固定部材は、前記マイクホルダを保持した状態で電子機器の外装に固定されることを特徴とする請求項２乃至４のいずれか一項に記載のマイク装置。
【請求項６】
前記第１のシート風防部材のシート材料の開口率は、前記第２のシート風防部材のシート材料の開口率より密であることを特徴とする請求項１乃至５のいずれか一項に記載のマイク装置。
【請求項７】
請求項１乃至６のいずれか一項に記載のマイク装置を備えた電子機器。
【請求項８】
請求項１乃至６のいずれか一項に記載のマイク装置を備えた撮像装置。
【発明の詳細な説明】
【技術分野】
【０００１】
本発明は、デジタルカメラ等に搭載されるマイク装置、およびそれを備えた電子機器、撮像装置に関する。
【背景技術】
【０００２】
マイク装置が搭載されたデジタルカメラ等の撮像装置を含む電子機器では、特に屋外で使用される際に、マイク装置によって集音される音声の他に風による雑音を記録してしまう。このため、音声の再生時、風雑音の耳触りな音でユーザに不快感を与えてしまう。
【０００３】
このような問題に対して、従来、電子機器に内蔵されたマイク装置の集音部表面にシート状風防部材を配置することで、記録される風雑音を低減する技術が提案されている（特許文献１）。
【先行技術文献】
【特許文献】
【０００４】
【特許文献１】特開２００６−２１１３０２号公報
【発明の概要】
【発明が解決しようとする課題】
【０００５】
ところで、近年、デジタルカメラ等の撮像装置を含む電子機器に対する更なる小型化の要求により、電子機器の内部にマイク装置を配置するスペースを十分に確保できない状況にある。一方、マイク装置による音声記録に関しては、風雑音の低減による音質向上が求められている。しかし、上記特許文献１では、所定の風速を超える風に対しては風雑音の低減効果が著しく劣ってしまう。
【０００６】
そこで、本発明は、マイク装置の小型化を図りつつ、記録される風雑音を低減して音質向上を実現する仕組みを提供することを目的とする。
【課題を解決するための手段】
【０００７】
上記目的を達成するために、本発明のマイク装置は、マイクエレメントと、前記マイクエレメントを保持するマイクホルダと、前記マイクエレメントよりも集音方向側に配置され、所定の開口率を有するシート材料で形成された第１及び第２のシート風防部材とを備え、前記マイクホルダは、前記マイクエレメントを保持するマイク穴よりも集音方向側に、所定の間隔をもって前記第１及び第２のシート風防部材を保持することを特徴とする。
【発明の効果】
【０００８】
本発明によれば、マイク装置の小型化を図りつつ、記録される風雑音を低減して音質向上を実現することができる。
【図面の簡単な説明】
【０００９】
【図１】本発明の第１の実施形態であるマイク装置の分解斜視図である。
【図２】マイクホルダ１０の拡大図である。
【図３】マイク装置を上面側から見た図である。
【図４】図３のＡ−Ａ線断面図である。
【図５】図３のＢ−Ｂ線断面図である。
【図６】本発明の第２の実施形態であるマイク装置の分解斜視図である。
【図７】マイク装置を上面側から見た図である。
【図８】図７のＣ−Ｃ線断面図である。
【発明を実施するための形態】
【００１０】
以下、本発明の実施形態を図面を参照して説明する。
【００１１】
（第１の実施形態）
図１は、本発明の第１の実施形態であるマイク装置の分解斜視図である。図１に示すように、本実施形態のマイク装置１は、ゴム等の弾性材で成形されたマイクホルダ１０と、音声等の空気振動を振動板を介して電気信号に変換するマイクエレメント１１と、所定の開口率を有し弾性力を持つスポンジ部材１２とを備える。
【００１２】
また、マイク装置１は、所定の開口率を有し薄い金属材で成形された２つのシート風防部材である第１のシート風防部材１３と、第２のシート風防部材１４とを備える。この第１のシート風防部材１３のシート材料の開口率を第２のシート風防部材１４のシート材料の開口率に比べて密にする。更に、マイク装置１は、導電性及び弾性力を有する導通部材１６と、マイクホルダ１０を底面側からねじ１８を介して外装部材１５に固定する金属製の固定部材１７とを備える。なお、本実施形態では、外装部材１５は、デジタルカメラ等の撮像装置を含む電子機器の外装の一部を構成するものとする。
【００１３】
第１のシート風防部材１３は、矩形状の基部１３ａと、基部１３ａの互いに対向する二辺から下方（電子機器の内部側）に延びる一対の脚部１３１とを有する。また、第２のシート風防部材１４のうち矩形状の基部１４ａは、第１のシート風防部材１３の上方（電子機器の外装側、集音方向側）に配置され、基部１４ａの互いに対向する二辺から下方に延びる一対の脚部１４１を有する。
【００１４】
第１のシート風防部材１３及び第２のシート風防部材１４は、一対の脚部１３１と一対の脚部１４１が互いに重ならないように、９０°位相をずらして配置される。第１のシート風防部材１３及び第２のシート風防部材１４は、所定の開口率を有する薄板状の金属材をプレス加工することによって成形される。ここで、第１のシート風防部材１３は、本発明の第１のシート風防部材の一例に相当し、第２のシート風防部材１４は、本発明の第２のシート風防部材の一例に相当する。
【００１５】
図２は、マイクホルダ１０を上方（電子機器の外装側）から見た図である。図２に示すように、マイクホルダ１０の中央部には、マイクエレメント１１を保持するマイク穴１０６が形成されている。マイクエレメント１１の上方位置におけるマイク穴１０６の開口周囲には、内側リブ１０３がマイク穴１０６の全周を矩形状に囲むように上方に突設されている。内側リブ１０３の外側には、外側リブ１０４が内側リブ１０３の全周を矩形状に囲むように上方に突設されている。外側リブ１０４は、内側リブ１０３に比べて突出量が大きく設定されている。この外側リブ１０４と内側リブ１０３との突出量の差は、第１のシート風防部材１３の基部１３ａの厚さよりも大きくすることが望ましい。これについての具体的な説明は後述する。
【００１６】
図２において、内側リブ１０３の紙面上下方向に互いに対向する二辺と外側リブ１０４の紙面上下方向に互いに対向する二辺との間には、それぞれ左右方向に長い貫通孔１０１が形成されている。また、図２において、外側リブ１０４の紙面左右方向に互いに対向する二辺の外側には、それぞれ紙面上下方向に長い貫通孔１０２が形成されている。ここで、脚部１３１は、本発明の第１の脚部の一例に相当し、貫通孔１０１は、本発明の第１の貫通孔の一例に相当する。また、脚部１４１は、本発明の第２の脚部の一例に相当し、貫通孔１０２は、本発明の第２の貫通孔の一例に相当する。
【００１７】
次に、図１乃至図５を参照して、マイク装置１の組立例について説明する。図３は、マイク装置１を上方（電子機器の外装側）から見た図である。図４は、図３のＡ−Ａ線断面図である。図５は、図３のＢ−Ｂ線断面図である。
【００１８】
図１を参照して、スポンジ部材１２、第１のシート風防部材１３，及び第２のシート風防部材１４は、マイクホルダ１０に対して上方から組み込まれ、マイクエレメント１１、導通部材１６、及び固定部材１７は、マイクホルダ１０の下方から組み込まれる。マイクエレメント１１は、図４及び図５に示すように、マイクホルダ１０のマイク穴１０６の内周部に形成された保持溝１０５に嵌め込まれて保持される。スポンジ部材１２は、内側リブ１０３の内周側に嵌め込まれる。
【００１９】
第１のシート風防部材１３は、一対の脚部１３１を貫通孔１０１に挿入して、基部１３ａを内側リブ１０３の先端に突き当てる。その際、図４に示すように、一対の脚部１３１は、先端側がマイクホルダ１０の底面で内側に折り曲げられ、これにより、第１のシート風防部材１３がマイクホルダ１０に仮保持される。
【００２０】
かかる仮保持状態では、スポンジ部材１２が基部１３ａに押されて圧縮変形した状態で、マイクホルダ１０に保持される。スポンジ部材１２は、マイクエレメント１１の近傍で外部より進入する風の影響を抑制して、風防効果を発揮する。
【００２１】
第２のシート風防部材１４は、一対の脚部１４１を貫通孔１０２に挿入して基部１４ａを外側リブ１０４の先端に突き当てる。その際、図５に示すように、一対の脚部１４１は、先端側がマイクホルダ１０の底面で内側に折り曲げられ、これにより、第２のシート風防部材１４がマイクホルダ１０に仮保持される。
【００２２】
ここで、外側リブ１０４は、内側リブ１０３に比べて突出量が大きく設定されているため、第１のシート風防部材１３と第２のシート風防部材１４との間には、所定の間隔、すなわち、図５に示す寸法Ｓの隙間が形成される。この寸法Ｓの隙間は、外側リブ１０４と内側リブ１０３との突出量の差と、第１のシート風防部材１３の基部１３ａの厚さとの差である。このように、外側リブ１０４と内側リブ１０３との突出量の差を、第１のシート風防部材１３の基部１３ａの厚さよりも隙間Ｓだけ大きくなるように形成することによって、外部から進入する風を段階的に低減させることができる。これによって風雑音の低減効果を高めることが可能となる。
【００２３】
又、マイクエレメント１１に近い側に配置される第１のシート風防部材１３のシート材料の開口率を相対的に密にし、遠い側に配置される第２のシート風防部材１４のシート材料の開口率を相対的に疎とすることで、更なる風雑音の低減効果を得ることが可能となる。
【００２４】
更に、第１のシート風防部材１３と第２のシート風防部材１４との間の隙間Ｓをマイクホルダ１０に形成したリブ１０３，１０４の高さを変えるだけで確保することができる。このため、他の複数部品を使用して隙間Ｓを確保する場合に比較して、マイク装置１の小型化が可能となる。
【００２５】
また、図４に示すように、第１のシート風防部材１３は、内側リブ１０３の外壁全周を覆うように配置され、図５に示すように、第２のシート風防部材１４は、外側リブ１０４の外壁全周を覆うように配置される。
【００２６】
これにより、外部より進入してくる風は、内側リブ１０３及び外側リブ１０４の外側からはマイクエレメント１１に届かなくなる。すなわち、外部より進入してくる風は、必ず第１のシート風防部材１３及び第２のシート風防部材１４を経由する（図５の矢印Ｗ方向）こととなる為、マイク装置１の風雑音の低減効果を確実に得ることができる。
【００２７】
図４及び図５に示すように、第１のシート風防部材１３及び第２のシート風防部材１４がマイクホルダ１０に対して仮保持された状態で、外装部材１５にマイクホルダ１０を組み込む。その後、折り曲げられた一対の脚部１３１及び一対の脚部１４１の下方に、導通部材１６を配置する。この状態で、固定部材１７を外装部材１５に対して組み込み、ビス１８で締結する。なお、ここでの締結方法はビスに限られず、接着などの方法であっても良い。
【００２８】
このとき、一対の脚部１３１及び一対の脚部１４１の折り曲げ部分は、弾性力を持つ導通部材１６に押圧された状態で、導通部材１６を介して金属製の固定部材１７と電気的に導通する。固定部材１７は、不図示の接続部を介してデジタルカメラのカメラ本体にグランド接続される。
【００２９】
これにより、第１のシート風防部材１３及び第２のシート風防部材１４のグランドが確保される。この結果、特に、カメラ本体の外装を形成する第２のシート風防部材１４に、例えば人体から静電気が放電されても、その静電気がマイクエレメント１１に二次放電されることがなく、カメラ本体の制御部の誤動作や破損等を回避することができる。
【００３０】
このように、第１のシート風防部材１３，及び第２のシート風防部材１４は、脚部１３１，１４１が、マイクホルダ１０の貫通孔１０１，１０２に挿入され、マイクホルダ１０の底面側で内側に折り曲げられて、導通部材１６を介して固定部材１７にグランド接続される。
【００３１】
このとき、脚部１３１及び脚部１４１は、互いに重ならない位置でマイクホルダ１０の底面側で内側に折り曲げられるため、単一の導通部材１６によって同時に固定部材１７にグランド接続される。このため、グランド接続構造の部品点数の削減及びマイク装置１の小型化を実現できる。また、脚部１３１及び脚部１４１の折り曲げ部分は、略平坦であるため、導通電部材１６の配置が更に容易になる。
【００３２】
以上説明したように、本実施形態では、マイク装置１の小型化を図りつつ、記録される風雑音を低減して音質向上を実現することができる。
【００３３】
（第２の実施形態）
次に、図６乃至図８を参照して、本発明の第２の実施形態であるマイク装置について説明する。
【００３４】
図６は、本発明の第２の実施形態であるマイク装置の分解斜視図である。図６に示すように、本実施形態のマイク装置２は、導電性を有するゴム等の弾性部材で成形されたマイクホルダ２０と、音声等の空気振動を振動板を介して電気信号に変換するマイクエレメント２１と、を備える。
【００３５】
また、マイク装置２は、所定の開口率を有し薄い金属材で成形された３つのシート風防部材２２，２３，２５と、導電性、及び弾性力を有するリング状の導通部材２４とを備える。シート風防部材２２は、円板状に形成されている。シート風防部材２３は、円板状の基部２３ａと、基部２３ａの外周部から下方（電子機器の内部側）に延びて、基部２３ａの径方向に互いに対向する一対の脚部２３ｂとを有する。
【００３６】
図７は、マイク装置２を上面側（電子機器の外装側、集音方向側）から見た図である。図８は、図７のＣ−Ｃ線断面図である。図８に示すように、マイクホルダ２０のマイク穴２０６の内周部には、マイクエレメント２１を保持する保持溝２０２、及びマイクエレメント２１の上方位置でシート風防部材２２を保持する保持溝２０３が形成されている。保持溝２０３にシート風防部材２２が保持された状態では、マイクホルダ２０とシート風防部材２２とが電気的に導通する。
【００３７】
また、マイクエレメント２１の上方位置（電子機器の外装側、集音方向側）におけるマイク穴２０６の開口周囲には、内側リブ２０４がマイク穴２０６の全周を円環状に囲むように突設されている。内側リブ２０４の外側には、外側リブ２０５が内側リブ２０４の全周を矩形状に囲むように突設されている。外側リブ２０５は、内側リブ２０４に比べて突出量が大きく設定されている。
【００３８】
シート風防部材２３は、シート風防部材２２の上方位置に配置され、一対の脚部２３ｂが外側リブ２０５と内側リブ２０４との間の溝部に挿入される。その際、シート風防部材２３の基部２３ａは、内側リブ２０４の先端に突き当たる。導通部材２４は、シート風防部材２３の基部２３ａの上面側に組み込まれ、導通部材２４の上方には、シート風防部材２５がマイクホルダ２０の外側リブ２０５及び導通部材２４に突き当たるように組み込まれる。
【００３９】
このとき、シート風防部材２２とシート風防部材２３との間には、隙間Ｓ１が確保され、シート風防部材２３とシート風防部材２５との間には、隙間Ｓ２が確保される。これにより、外部から進入する風を段階的に低減させることができ、風雑音の低減効果を高めることが可能となる。
【００４０】
また、シート材料の開口率を、マイクエレメント２１に近い側のシート風防部材２２を相対的に密、遠い側のシート風防部材２３を相対的に疎、さらに遠い側のシート風防部材２５をさらに疎にすることで、更なる風雑音の低減効果を得ることが可能となる。
【００４１】
導通部材２４は、マイクエレメント２１よりも大きい開口部を有し、上方から見た投影上、開口部の径方向内側にマイクエレメント２１が配置されるようになっている。これにより、マイクエレメント２１への音声の入力が阻害されるのを防止している。
【００４２】
シート風防部材２５の上方（電子機器の外装側、集音方向側）には、不図示の外装部材が配置され、マイクホルダ２０の下方には、不図示の金属製の固定部材が配置される。固定部材は、不図示の接続部を介してデジタルカメラのカメラ本体にグランド接続される。そして、固定部材を外装部材に対して組み込み、不図示のビス等で締結することで、マイク装置２がカメラ本体に対して保持される。なお、ここでの締結方法も特にビスに限られず、接着などの方法であっても良い。
【００４３】
このとき、シート風防部材２２，２３，２５は、マイクホルダ２０に電気的に導通しており、従って、固定部材を介してカメラ本体のグランドに接続される。すなわち、固定部材をマイクホルダ２０に押し当てて外装部材に組み込むだけで、マイク装置２のグランドを確保することが可能となる。その他の作用効果については、上記第１の実施形態と同様である。
【００４４】
なお、本発明の構成は、上記各実施形態に例示したものに限定されるものではなく、材質、形状、寸法、形態、数、配置箇所等は、本発明の要旨を逸脱しない範囲において適宜変更可能である。
【００４５】
例えば、上記各実施形態では、マイクホルダの上端部に、マイク穴の径方向の位置及び高さが異なる２つのリブを設けて、２つのリブに２つのシート風防部材をそれぞれ当接させているが、これに限定されない。
【００４６】
すなわち、マイクホルダの上端部に、マイク穴の径方向の位置及び高さが異なる３つ以上のリブを設けて、３つ以上のリブに３つ以上のシート風防部材をそれぞれ当接させることで、上下のシート風防部材間に所定の隙間を形成するようにしてもよい。この場合、３つ以上のリブは、径方向外側に配置されるリブが径方向内側に配置されるリブより高さが高く設定される。
【符号の説明】
【００４７】
１  マイク装置
１０  マイクホルダ
１１  マイクエレメント
１３  シート風防部材
１４  シート風防部材
１５  外装部材
１６  導通部材
１７  固定部材
１０３  内側リブ
１０４  外側リブ
【図１】
2014082715.tif 000003
【図２】
2014082715.tif 000004
【図３】
2014082715.tif 000005
【図４】
2014082715.tif 000006
【図５】
2014082715.tif 000007
【図６】
2014082715.tif 000008
【図７】
2014082715.tif 000009
【図８】
2014082715.tif 000010